(57)【要約】【課題】設定電文と非設定電文とを受信する第１通信ポートと、非設定電文を受信する第２通信ポートとをもったガスメータにおいて、一方のポートに外部機器が接続されている場合に他の外部機器を接続して通信を行いたい時、前者の外部機器の配線を外して付け替える必要がないガスメータを提供する。【解決手段】ガスメータ１は第１通信ポート１９1で通信電文を受信する第１受信手段１６1と、第２通信ポート１９2で通信電文を受信する第２受信手段１６2と、受信手段１６1，１６2で受信した通信電文が設定電文／非設定電文のいずれであるかに係わらず受信した通信電文に対し、共通の解析を行って該通信電文のデータに記された処理を実行し、必要に応じて返信用のデータを生成するデータ解析手段１７と、データ解析手段１７で生成された返信データを送信元の外部装置２X，２Yに送信する送信手段１８とを備える。【選択図】図２
2006017511.tif 000002
【特許請求の範囲】
【請求項１】
少なくとも２種類の通信ポートをもち、通信により外部装置と接続可能なガスメータであって、前記２種類の通信ポートは、当該ガスメータにおける設定を行って当該ガスメータへの設定値の書き込みを必要とする通信電文である設定電文と書き込みを必要としない通信電文である非設定電文とを受信する第１通信ポートと、前記非設定電文を受信する第２通信ポートとからなり、当該ガスメータは、前記第１通信ポートで通信電文を受信する第１受信手段と、前記第２通信ポートで通信電文を受信する第２受信手段と、前記第１受信手段で受信した通信電文及び前記第２受信手段で受信した通信電文が設定電文であるか非設定電文であるかに係わらず、受信した通信電文に対し、共通の解析を行って該通信電文のデータに記された処理を実行し、必要に応じて返信用のデータを生成するデータ解析手段と、該データ解析手段で生成された返信データを、前記第１受信手段又は第２受信手段で受信した通信電文の送信元である外部装置に送信する送信手段と、を備えたことを特徴とするガスメータ。
【請求項２】
前記第１通信ポートをＮラインの通信ポートとし、前記第２通信ポートをＨラインの通信ポートとすることを特徴とする請求項１に記載のガスメータ。
【発明の詳細な説明】
【技術分野】
【０００１】
本発明は、ガスメータに関し、より詳細には、２種類以上の通信ポートをもち、通信により外部装置に接続可能なガスメータに関する。
【背景技術】
【０００２】
従来から、ガスメータとして、マイコンで制御される所謂マイコンメータが使用されている。このマイコンメータには、その流量計測値（積算値，瞬時値）のデータ、ガス遮断や各種警報に関する履歴情報のデータ、ガスメータにおいて各種設定値を設定するためのデータなどを、通信によりやりとりする外部装置が接続可能となっている。また、これらのデータは、電文によりデータ通信される。そして、このデータ通信に関しては、日本ガスメーター工業会においてマイコンメータの接続端子及びその通信電文のフォーマットが統一規格として定められている。マイコンメータとしては、液化石油ガス用マイコン型流量検知式自動ガス遮断装置（II型），液化石油ガス用マイコン型流量検知式自動ガス遮断装置（Ｌ型），液化石油ガス用マイコン型流量検知式自動ガス遮断装置（Ｃ型），液化石油ガス用マイコン型流量検知式自動ガス遮断装置（Ｂ型），液化石油ガス用マイコン型流量検知式自動ガス遮断装置（Ｓ型），液化石油ガス用マイコン型流量検知式自動ガス遮断装置（ＳＢ型）の各型の保安ガスメータがある。
【０００３】
このうち、例えばＳ型であれば、この規格では６種類の接続端子を保有するものとなっている。６種類の接続端子は、いずれも外部装置に接続する端子であり、ガス漏れ警報器等の警報器に接続する端子（Ａ端子）、第２のガス漏れ警報器，ＣＯ警報器等の外部機器に接続する第１の端子（Ｂ１端子）、自動切替調整器，自己診断調整器等の外部機器に接続する第２の端子（Ｂ２端子）、網制御装置（以下、ＮＣＵという）に接続しＮライン通信を行うための端子（Ｃ端子：ＤＴ端子及びＳＧ端子）、弁開閉信号の入力及び弁開閉通信を行う端子（Ｄ端子）、及び共通線を接続する端子（Ｅ端子：ＦＧ端子）よりなる。ここで、Ｄ端子は、例えば宅内操作器におけるスイッチ信号を入力すること、及びＨライン通信を行うことが可能となっており、弁開信号を入力する端子、弁閉信号を入力する端子、及び共通端子（Ｃｏｍｍｏｎ端子）により構成される。
【０００４】
Ｓ型のマイコンメータに限らず、上述したII，Ｌ，Ｃ，Ｂ，ＳＢの各型のマイコンメータは、接続端子にＮライン通信を行う端子が具備されており、また、Ｓ型，ＳＢ型のマイコンメータは、接続端子にＨライン通信を行う端子が具備されている。なお、Ｎラインとは、メータのＤＴ，ＳＧ端子に「Ｎｅｔｗｏｒｋ  Ｃｏｎｔｒｏｌ  Ｕｎｉｔ」を接続することから、Ｈラインとは、メータの弁開閉端子のＤＴ，ＳＧ端子に「Ｈｏｍｅ  Ｃｏｎｔｒｏｌｌｅｒ」を接続することから、それぞれ命名されている。そして、Ｎライン通信端子には、ＮＣＵが接続されることでガスメータとガス検針センタとを電話回線で接続し、或いは、設定器が接続されることでガスメータ内のマイクロコンピュータの制御に係わる設定を行う。一方、Ｈライン通信端子には、宅内操作器が接続されることで宅内から遮断弁の開閉操作を行う。
【０００５】
図５は、従来技術によるマイコンメータにおけるデータ通信処理を説明するためのフロー図である。マイコンメータにおいて、Ｎライン通信とＨライン通信とは、それぞれ別のポートで行われ、Ｎライン通信はマイコンメータにおける設定を実行するための設定電文を受信・処理し、Ｈライン通信は設定等のマイコンメータにおけるマイコン内のメモリへの書き込む必要を生ずるような設定電文の通信は許可せず、単に検針データを返信するなどメモリへの書き込みを必要としないような電文の通信のみを行う。従って、マイコンメータにおけるデータ通信処理は次のようになる。
【０００６】
まず、マイコンメータのマイコンは、外部装置から送信されたデータを、Ｎライン通信端子又はＨライン通信端子からインタフェースを介して受信する（ステップＳ１１）。次に、受信したデータがＮライン通信端子，Ｈライン通信端子のいずれの端子から受信されたものであるかを判定する（ステップＳ１２）。ステップＳ１２においてＮライン通信端子からの受信であると判定された場合には、データＯＫ処理を実行する（ステップＳ１３）。一方、ステップＳ１２においてＨライン通信端子からの受信であると判定された場合には、データ判定を行う（ステップＳ１４）。ステップＳ１４におけるデータ判定では、上述のごとくマイコンにおいて書き込みを生ずるような設定電文か否かを判定する。ここで、マイコンで書き込み不要な電文であればデータＯＫ処理を行う（ステップＳ１３）。一方、マイコンで書き込みを生ずるような設定電文であった場合、エラー情報の抽出などのデータＮＧ処理を行う（ステップＳ１５）。ステップＳ１３の後は、データ解析を実行する（ステップＳ１６）。このデータ解析では、受信したデータに対し、そのデータに示された処理を実行し、必要に応じて外部装置への返信データを生成する。なお、返信データは、単にデータの抽出などで済む場合もあり、そのような場合も含め、返信データの生成とする。ステップＳ１６の後、生成された返信データを、受信元の外部装置に送信して（ステップＳ１７）、処理を終了する。また、ステップＳ１７においては、ステップＳ１５でデータＮＧ処理を行った場合にはエラー情報を受信元の外部装置に送信し、ステップＳ１４，Ｓ１３を経てデータＯＫ処理を行って返信するデータが無い場合でも処理完了のデータをデータＯＫ処理で作成しておきそれを受信元の外部装置に送信するようにしてもよい。
【０００７】
また、上述のごときガスメータに対し、Ｎライン通信，Ｈライン通信を利用してガスメータと接続する端末用伝送装置が提案されている（例えば、特許文献１を参照）。特許文献１に記載の端末用伝送装置は、予め余分のポートを設けることなく、機器の接続構成を多くとることを目的としたものである。また、ガス課金装置において通信ポートとして既設のＮライン又はＨラインを使用することも提案されている（例えば、特許文献２を参照）。さらに、ガスメータの種別を識別する機能をもち、メータの機能を設定する設定器も提案されている（例えば、特許文献３を参照）。
【特許文献１】特開２０００−１５１５６４号公報
【特許文献２】特開平１１−１３２８２７号公報
【特許文献３】特許第３５２５９９４号公報
【発明の開示】
【発明が解決しようとする課題】
【０００８】
しかしながら、ガスメータの通信端子に接続される外部装置は、通信端子により機能の制約がある。従来のＨライン通信端子に接続される宅内表示盤などは、宅内のガス使用者が遮断弁の開閉操作を行う機能と限定していたため、Ｈライン通信端子で受信されマイコン制御部で行われるデータ解析処理も限定されている。従って、例えばガスメータの機能を設定する設定器は、Ｎライン通信端子にしか接続できず、Ｎライン通信端子にＮＣＵ等の他の外部装置が接続されていた場合には、接続できる端子が無く、ＮＣＵ等の他の外部装置をＮライン通信端子から取り外して設定器に付け替える必要がある。
【０００９】
このような作業は、ガス事業者にとっては、非常に煩わしい作業であり、作業効率を低下させるものである。さらに、誤配線などの通信トラブルを招く恐れもあり、品質確保の点でも問題がある。
【００１０】
上述のごとき課題は、Ｎライン通信端子とＨライン通信端子とのように、ガスメータ内の設定値を変更（書き込み）可能な設定電文を主として受信する端子と書き込みを必要としない通信電文を受信する端子とが具備されたガスメータに対して生ずるものであり、一方の端子に外部機器が接続されている場合に他の外部機器を接続して通信を行いたい時、一方の端子に接続されている外部機器の配線を外して付け替える必要があり、ガス事業者の作業効率が低下したり、通信トラブル等により品質確保できないといった問題がある。
【００１１】
本発明は、上述のごとき実情を鑑みてなされたものであり、ガスメータへの設定値の書き込みを必要とする通信電文である設定電文と書き込みを必要としない非設定電文とを受信する第１通信ポートと、非設定電文を受信する第２通信ポートとをもったガスメータにおいて、一方のポートに外部機器が接続されている場合に他の外部機器を接続して通信を行いたい時、一方のポートに接続されている外部機器の配線を外して付け替える必要がないガスメータを提供することをその目的とする。
【課題を解決するための手段】
【００１２】
本発明は、上述のごとき課題を解決するために、以下の各技術手段により構成される。
第１の技術手段は、少なくとも２種類の通信ポートをもち、通信により外部装置と接続可能なガスメータであって、前記２種類の通信ポートは、当該ガスメータにおける設定を行って当該ガスメータへの設定値の書き込みを必要とする通信電文である設定電文と書き込みを必要としない通信電文である非設定電文とを受信する第１通信ポートと、前記非設定電文を受信する第２通信ポートとからなり、当該ガスメータは、前記第１通信ポートで通信電文を受信する第１受信手段と、前記第２通信ポートで通信電文を受信する第２受信手段と、前記第１受信手段で受信した通信電文及び前記第２受信手段で受信した通信電文が設定電文であるか非設定電文であるかに係わらず、受信した通信電文に対し、共通の解析を行って該通信電文のデータに記された処理を実行し、必要に応じて返信用のデータを生成するデータ解析手段と、該データ解析手段で生成された返信データを、前記第１受信手段又は第２受信手段で受信した通信電文の送信元である外部装置に送信する送信手段と、を備えたことを特徴としたものである。
【００１３】
第２の技術手段は、第１の技術手段において、前記第１通信ポートをＮラインの通信ポートとし、前記第２通信ポートをＨラインの通信ポートとすることを特徴としたものである。
【発明の効果】
【００１４】
本発明によれば、ガスメータへの設定値の書き込みを必要とする通信電文である設定電文と書き込みを必要としない非設定電文とを受信する第１通信ポートと、非設定電文を受信する第２通信ポートとをもったガスメータにおいて、ガスメータに接続される外部装置が第１通信ポート／第２通信ポートのいずれからの入力であるか及び通信電文が設定電文／非設定電文のいずれであるかを問わず、通信電文内のデータが記した処理を実行し、必要に応じてその外部装置へ返信することが可能となり、従って、一方のポートに外部機器が接続されている場合に他の外部機器を接続して通信を行いたい時、一方のポートに接続されている外部機器の配線を外して付け替える必要がなくなる。また、本発明によれば、付け替えが必要ないので、ガス事業者の作業効率低下を防止することや、通信トラブル等を防いで品質を確保することも可能となる。
【発明を実施するための最良の形態】
【００１５】
図１は、本発明の一実施形態に係るガスメータの一構成例を示す図で、一般的なマイコンメータの一構成例を示す図でもある。図１において、１はガスメータ、２は外部装置、１０は制御部、１１は計量部、１２はセンサ部、１３は表示部、１４は遮断部、１５は端子台、２１は宅内操作器、２２はＮＣＵ、２３はガス洩れ警報器、２４は外部１機器（外部端子１の機器）、２５は外部２機器（外部端子２の機器）であり、１０ａはマイクロコンピュータ（以下、マイコンという）、１０ｂはインタフェース、１０ｃは電池、１０ｄはテスト遮断スイッチ、１０ｅは容器リセットスイッチ、１１ａは計量機能、１２ａは電圧検出センサ、１２ｂは流量センサ、１２ｃは圧力センサ、１２ｄは感震器、１３ａは積算表示機能、１３ｂはセキュリティ表示機能、１４ａは双方向遮断弁、１４ｂは遮断弁開スイッチである。
【００１６】
ガスメータ１は、ガスメータ１における各種制御を行う制御部１０、ガス流量を計量すする計量部１１、センサ部１２、表示部１３、及び遮断部１４を備え、さらに、外部装置２との接続を行う端子台１５を備える。
【００１７】
計量部１１は、ガス流量に応じた回転体の回転数又は流体振動を出力する計量機能１１ａからなる。また、センサ部１２は、ガス流量やセキュリティに関係する物理量を検出するセンサ類からなり、電池１０ｃの電圧を検出する電圧検出センサ１２ａ、計量機能１１ａの出力を検出する流量センサ１２ｂ、ガス圧力低下などガス圧力を検知する圧力センサ１２ｃ、地震波等の振動を検知する感震器１２ｄ等から構成されている。なお、流量センサ１７は、流量を検出するためのセンサで、勿論、流速センサであってマイコン１０ａにて流量に演算するものであってもよいし、流量演算器（流量変換器）を介してマイコン１０ａに流量を送信するものであってもよい。
【００１８】
また、制御部１０は、主として、取り込まれたセンサの信号を演算処理して処理データを収納し、表示部１３に出力したり端子台１５を介して外部に出力するもので、マイコン１０ａ、インタフェース１０ｂ、電源となる電池１０ｃ、双方向遮断弁１４ａが正常に機能するかをテストするためのテスト遮断スイッチ１０ｄ、容器リセットスイッチ１０ｅ等から構成されている。なお、電池１２は少なくとも制御部１０の電源となるものである。また、マイコン１０ａは、流量センサ１２ｂへ命令し流量センサ１２ｂからの流量検出信号に基づいて流量を計測して積算する処理を行う電子制御装置であり、演算処理をするＭＰＵと、それら各手段としてＭＰＵを機能させるためのプログラムを記録し処理データを記録するメモリとで構成される。
【００１９】
また、表示部１３は、制御部１０により処理されたデータを所定のプログラムまたは外部からの指令に従って表示するＬＣＤ（液晶表示器）等の表示装置であり、ガス流量の積算表示機能１３ａ，セキュリティ表示機能１３ｂ等をもっている。また、遮断部１４は、センサ部１２の信号による異常等が生じたとき、制御部１０のマイコン１０ａからの命令により制御弁を遮断するもので、制御弁としての双方向遮断弁１４ａ，遮断弁開スイッチ１４ｂ等とから構成されている。
【００２０】
一方、外部装置２は、端子台１５を介してガスメータ１の外部に接続される機器類であり、例えば、宅内でガスメータ１の操作を行う宅内操作器２１、ガスメータ１との間で発呼，選択信号の送出，切断など電話交換網を制御するＮＣＵ２２、ガスメータ１におけるガス洩れを警報するガス洩れ警報器２３、及びハンディターミナルやＰＣ（パーソナルコンピュータ）等、その他の外部機器（ここでは外部１機器２４及び外部２機器２５）が設けられている。
【００２１】
ＮＣＵ２２は、ガスメータ１の通信機能（自動通報，遠隔遮断，自動検針など）を行うためガス検針センタなどとガスメータ１を電話回線で接続する機器であり、電話機とガスメータ１を自動的に切り替えてガスメータ１のデータの送受信を行う。ＮＣＵ２２は通常、Ｎライン通信端子（Ｎライン通信ポート）に接続される。ハンディターミナルやＰＣは、検針器や設定器として用いられるものであり、Ｎライン通信ポート，Ｈライン通信ポートを含め、いずれのポートに接続してもよい。設定器は、設置されているガスメータの設定変更や確認などを行う。設定，確認が行われる項目には、継続使用時間設定、口火登録などあるが、ガス事業者の運用形態によりその仕様は決定される。このように、詳細は後述するが、本発明におけるＮライン通信ポートは、電文によりデータの送受信が可能な端子で、ＮＣＵや設定器等と接続して通信を行うポートとなっており、本発明におけるＨライン通信ポートは、電文設定により宅内表示盤と接続され、宅内から遮断弁の開閉操作を行う遠隔弁開閉用端子をもつが、さらに設定電文の受信も可能とし設定器やＮＣＵ等にも接続可能とする。
【００２２】
以上のように構成されたガスメータ１が、ガスラインに設置され、遮断弁開スイッチ１４ｂがＯＮ（閉路）されると、自己保持により弁開を継続し、ガス流量計測が開始される。内蔵された圧力センサ１２ｃにより検知された圧力データは、制御部１０に取り込まれて演算処理され、定められたプログラムに従って上述した圧力センサ１２ｃに与えられたセキュリティ機能を判断して計測を継続するか、遮断弁を閉止し、警報を発するか等が指令される。現在のガス圧力を計測する場合は、遮断弁開スイッチ１４ｂを押すことにより、所定時間、例えば１０秒間現在のガス圧を表示部１３に表示することができる。
【００２３】
図２は、本発明の一実施形態に係るガスメータにおける通信手段を説明するためのブロック図で、図中、１はガスメータ、２Xは外部装置Ｘ、２Yは外部装置Ｙ、１６1は第１受信手段、１６2は第２受信手段、１７はデータ解析手段、１８は送信手段、１９1は第１通信ポート、１９2は第２通信ポートである。
【００２４】
本発明に係るガスメータ１は、少なくとも２種類の通信ポートをもち、通信により外部装置２と接続可能であることを前提とし、第１受信手段１６1，第２受信手段１６2，データ解析手段１７，送信手段１８を備えるものとする。
【００２５】
ここで、２種類の通信ポートとは、第１通信ポート１９1，第２通信ポート１９2を指す。第１通信ポート１９1は、ガスメータ１における設定を行ってガスメータ１への設定値の書き込みを必要とする通信電文である設定電文と書き込みを必要としない通信電文である非設定電文とを受信するポートである。非設定電文は、例えばガスメータ１におけるマイコンのメモリの設定値や計測値等を読んで返すだけの電文である。一方、第２通信ポート１９2は、非設定電文を受信するポートである。また、通常のガスメータの規格に合わせ、第１通信ポート１９1をＮラインの通信ポートとし、第２通信ポート１９2をＨラインの通信ポートとすることが好ましい。
【００２６】
また、第１受信手段１６1は、第１通信ポート１９1で通信電文を受信する手段であり、第２受信手段１６2は、第２通信ポート１９2で通信電文を受信する手段である。上述のごとく、第１通信ポート１９1は設定電文と非設定電文の両方を受信するポートであり、第２通信ポート１９2は非設定電文だけを受信するポートであるが、本発明においては、このような２つのポートをもつことを前提としながら、第２通信ポート１９2で設定電文を受信した場合でも、第２受信手段１６2で受信処理を可能としたものである。
【００２７】
そのため、データ解析手段１７は、第１受信手段１６1で受信した通信電文及び第２受信手段１６2で受信した通信電文が設定電文であるか非設定電文であるかに係わらず、受信した通信電文に対し、共通の解析を行って該通信電文のデータに記された処理を実行し、必要に応じて返信用のデータを生成する。そして、送信手段１８は、データ解析手段１７で生成された返信データを、第１受信手段１６1又は第２受信手段１６2で受信した通信電文の送信元である外部装置２X，２Yに送信する。ここでは、外部装置２Xにより送信され第１通信ポート１９1から第１受信手段１６1で受信したものの返信は外部装置２Xへ行い、外部装置２Yにより送信され第２通信ポート１９2から第２受信手段１６2で受信したものの返信は外部装置２Yに送信する。
【００２８】
図３は、図２のガスメータにおける各構成要素を図１で例示したガスメータの構成要素で表した図で、図中、１５ａはＮライン通信ポート、１５ｂはＨライン通信ポートであり、その他、図１と同じ構成要素には同じ符号を付してその説明を省略する。
【００２９】
また、上述した第１受信手段１６1，第２受信手段１６2，データ解析手段１７，送信手段１８は、図１におけるマイコンメータ１においては、マイコン１０ａのＲＯＭ等のメモリに格納された受信プログラム，データ解析プログラム，送信プログラム（或いはそれらの回路）及びそれを実行するＣＰＵやインタフェース（インタフェース回路）１０ｂによって構成されることとなる。第１通信ポート１９1，第２通信ポート１９2は、端子台１５に備えられたポートであり、それぞれ、図３におけるＮライン通信ポート１５ａ，Ｈライン通信ポート１５ｂで例示できる。Ｎライン通信ポート１５ａはＤＴ端子とＳＧ端子よりなる。一方、Ｈライン通信ポート１５ｂは、基本的には弁制御用のポートであり、開信号を入力する端子，閉信号を入力する端子，それらの共通端子からなるが、本発明においては弁制御用としてだけではなく、設定器やＮＣＵなど、設定電文のやり取りも可能なよう、マイコン１０ａ側で制御している。
【００３０】
図４は、図２及び図３のガスメータにおける通信処理の一例を説明するためのフロー図である。
通信処理は、まず、外部装置２X（／２Y）のデータ送信手段によって送信されたデータを受信することで開始される（ステップＳ１）。ステップＳ１に続き、そのデータを解析する（ステップＳ２）。ここでの解析は、データ解析手段１７として上述した解析であり、マイコン１０ａでは、図５で説明した従来技術におけるステップＳ１２〜Ｓ１５のデータ判定を実行しない。そして、受信元の外部装置２X（／２Y）に対し、ステップＳ２における解析結果としての返信データを送信する（ステップＳ３）。
【００３１】
以上、本発明に係るガスメータにおいては、ガスメータへの設定値の書き込みを必要とする通信電文である設定電文と書き込みを必要としない非設定電文とを受信する第１通信ポートと、非設定電文を受信する第２通信ポートとをもったガスメータにおいて、ガスメータに接続される外部装置が第１通信ポート／第２通信ポートのいずれからの入力であるか及び通信電文が設定電文／非設定電文のいずれであるかを問わず、通信電文内のデータが記した処理を実行し、必要に応じてその外部装置へ返信することが可能となる。すなわち、本発明では、第２ポートからも設定電文を受信してその電文内のデータが示す処理を実行し、必要に応じてその外部装置への返信することが可能となる。従来、設定器はＮライン通信端子にしか接続できなかったが、本発明では、例えば、Ｈライン通信端子に接続可能なようにマイコン制御部を設定することで、Ｎライン通信端子がＮＣＵと接続されていてもＨライン通信端子を使用して設定器との接続が可能となる。すなわち、外部機器との通信機能を有するガスメータにおいて、例えば、Ｈライン通信端子に接続した外部機器により、Ｎライン通信端子に接続した場合と同様の通信機能を実現可能とすることができる。
【００３２】
このように、本発明では、通信ポートを問わず、取り扱うデータの種類を問わず、外部装置への返信を可能とし、従って、一方のポートに外部機器が接続されている場合に他の外部機器を接続して通信を行いたい時、一方のポートに接続されている外部機器の配線を外して付け替える必要がなくなり、ガス事業者の作業効率低下を防止することや、誤配線による通信トラブル等の品質低下を防ぐことも可能となる。
【図面の簡単な説明】
【００３３】
【図１】本発明の一実施形態に係るガスメータの一構成例を示す図である。
【図２】本発明の一実施形態に係るガスメータにおける通信手段を説明するためのブロック図である。
【図３】図２のガスメータにおける各構成要素を図１で例示したガスメータの構成要素で表した図である。
【図４】図２及び図３のガスメータにおける通信処理の一例を説明するためのフロー図である。
【図５】従来技術によるマイコンメータにおけるデータ通信処理を説明するためのフロー図である。
【符号の説明】
【００３４】
１…ガスメータ、２…外部装置、２Ｘ…外部装置Ｘ、２Ｙ…外部装置Ｙ、１０…制御部、１０ａ…マイクロコンピュータ（マイコン）、１０ｂ…インタフェース、１０ｃ…電池、１０ｄ…テスト遮断スイッチ、１０ｅ…容器リセットスイッチ、１１…計量部、１１ａ…計量機能、１２…センサ部、１２ａ…電圧検出センサ、１２ｂ…流量センサ、１２ｃ…圧力センサ、１２ｄ…感震器、１３…表示部、１３ａ…積算表示機能、１３ｂ…セキュリティ表示機能、１４…遮断部、１４ａ…双方向遮断弁、１４ｂ…遮断弁開スイッチ、１５…端子台、１５ａ…Ｎライン通信ポート、１５ｂ…Ｈライン通信ポート、１６1…第１受信手段、１６2…第２受信手段、１７…データ解析手段、１８…送信手段、１９1…第１通信ポート、１９2…第２通信ポート、２１…宅内操作器、２２…網制御装置（ＮＣＵ）、２３…ガス洩れ警報器、２４…外部１機器、２５…外部２機器。
【図１】
2006017511.tif 000003
【図２】
2006017511.tif 000004
【図３】
2006017511.tif 000005
【図４】
2006017511.tif 000006
【図５】
2006017511.tif 000007